(57)【要約】      （修正有）【課題】様々な形状のコネクタを確実に挟持可能であるとともに、先端を絡み合うケーブルを避けて設置されたコネクタに近づけることが可能なコネクタ挟持具を提供することである。【解決手段】先端部１０Ａ、１２Ａでコネクタを挟持可能な一対の挟持片１０、１２と、先端部でコネクタを挟持した状態で前記挟持片１０、１２を固定する固定手段１４と、を備えたコネクタ挟持具であって、前記一対の挟持片１０、１２の先端部１０Ａ、１２Ａは、先端側から見て断面Ｌ字状に形成され、Ｌ字を形成する一の面がコネクタを挟持し、他の面が対向して配置されている。【選択図】図１
2008251386.tif 000002
【特許請求の範囲】
【請求項１】
先端部でコネクタを挟持可能な一対の挟持片と、先端部でコネクタを挟持した状態で前記挟持片を固定する固定手段と、を備えたコネクタ挟持具であって、
前記一対の挟持片の先端部は、先端側から見て断面Ｌ字状に形成され、Ｌ字を形成する一の面がコネクタを挟持し、他の面が互いに対向して配置されていることを特徴とするコネクタ挟持具。
【請求項２】
前記一対の挟持片の前記一の面及び他の面の少なくとも一方の内面の先端から所定の距離を置いた位置には、内側に突出する突出部が形成されていることを特徴とする請求項１記載のコネクタ挟持具。
【請求項３】
前記一の面及び他の面の少なくとも一方の内側には、弾性及び挟持片よりも摩擦係数の大きい性質の少なくとも一方の性質を有する部材が設けられていることを特徴とする請求項１又は２記載のコネクタ挟持具。
【発明の詳細な説明】
【技術分野】
【０００１】
本発明は、アダプタなどに脱着する際にコネクタを挟持するコネクタ挟持具に係り、特に光ケーブル用コネクタの使用に適しているコネクタ挟持具に関する。
【背景技術】
【０００２】
従来から、二本の光通信ケーブルの接合は、各光通信ケーブルの端部に設けられた光通信ケーブル用コネクタを光通信ケーブル用アダプタの両端に接続することによって、行われており、端子盤には、この光通信ケーブル用アダプタが複数並列されて設置されている。近年、通信重要の拡大に伴い増加される一方で省スペース化も要求されるため、光通信ケーブル用アダプタは、高密度状態で端子盤に設置されている。
【０００３】
一方、通信事業者は、光通信設備に関して保守点検などを行わなければならず、その際に、光通信ケーブルのコネクタをアダプタに脱着しなければならない場合があるが、上述するようにアダプタが高密度状態で設置されているため、手でコネクタを引き抜くのは容易でなく、そのためピンセットのように先端でコネクタを挟持するコネクタ挟持具が提案されている（特許文献１）。
【０００４】
【特許文献１】特開平５−１４４５３９号公報
【発明の開示】
【発明が解決しようとする課題】
【０００５】
このようなコネクタ挟持具は、コネクタをアダプタに確実な装着するため、コネクタを確実に挟持する必要があるが、様々な形状のコネクタに対して汎用性を有するコネクタ挟持具がないのが現状である。また、上述のようにアダプタが高密度状態で設置されているので、コネクタ挟持具の先端を絡み合うケーブルを避けて設置されたコネクタに近づけなければならない。
【０００６】
そこで、本発明は、様々な形状のコネクタを確実に挟持可能であるとともに、先端を絡み合うケーブルを避けて設置されたコネクタに近づけることが可能なコネクタ挟持具を提供することを目的とする。
【課題を解決するための手段】
【０００７】
以上の目的を達成するため、本発明は、先端部でコネクタを挟持可能な一対の挟持片と、先端部でコネクタを挟持した状態で前記挟持片を固定する固定手段と、を備えたコネクタ挟持具であって、前記一対の挟持片の先端部は、先端側から見て断面Ｌ字状に形成され、Ｌ字を形成する一の面がコネクタを挟持し、他の面が互いに対向して配置されていることを特徴とする。
【０００８】
本発明に係るコネクタ挟持具において、先端部は、先端側から見て断面Ｌ字状に形成されているので、例えば、先端部の間隔をコネクタの厚さよりも若干長い距離に調整されたとしても、Ｌ字の他の面の先端と対向する一の面の間隔が十分に空いているので、その間にコネクタに接続されたケーブルを容易に入れることができ、先端部を容易に装着されたコネクタに近づけることができる。これに対して、先端部が、先端側から見て断面コの字状に形成されている場合には、間隔が十分に空かず、その間に光ケーブルを容易に入れることができず、また、先端部の両側辺を屈曲させずに平坦とされた場合、コネクタを曲がった状態で挟持してしまう場合があり確実に挟持することができない。本発明において、Ｌ字状とは、必ずしも直角に曲がっていることを要せず、上述した機能を有する限り、任意の角度に曲がっているものも含まれる。
【０００９】
本発明に係るコネクタ挟持具において、前記一対の挟持片の前記一の面及び他の面の少なくとも一方の内面の先端から所定の距離を置いた位置には、内側に突出する突出部が形成されていることが好ましく、前記一の面及び他の面の少なくとも一方の内側には、弾性及び挟持片よりも摩擦係数の大きい性質の少なくとも一方の性質を有する部材が設けられていることが好ましい。この部材は、弾性を有する場合、挟持するコネクタを傷つけることを防止でき、挟持片よりも摩擦係数の大きい性質を有する場合、コネクタを挟持する際の滑り止めとして機能し、これら両性質を備えても良く、またいずれか一方の性質を備えても良い。
【発明の効果】
【００１０】
以上のように、本発明によれば、様々な形状のコネクタを確実に挟持可能であるとともに、先端を絡み合うケーブルを避けて設置されたコネクタに近づけることが可能なコネクタ挟持具を提供することができる。
【発明を実施するための最良の形態】
【００１１】
次に、本発明に係るコネクタ挟持具の実施例について図面に基づいて説明する。図１は、本実施例に係るコネクタ挟持具の正面図、図２は、その左側面図、図３は、図２のＡ−Ａ´線に沿った断面図である。本実施例に係るコネクタ挟持具は、先端部１０Ａ、１２Ａで光ケーブル用コネクタを挟持可能な一対の挟持片１０、１２と、先端部１０Ａ、１２Ａで光ケーブル用コネクタを挟持した状態で挟持片１０、１２を固定する固定ねじ１４と、を備えている。
【００１２】
挟持片１０、１２は、いずれも長手方向に延びる板形状からなり、これらの基端部１０Ｂ、１２Ｂの内側には、先端部１０Ａ、１０Ｂが離間するように付勢する板ばね１６が湾曲した状態で設けられている。この板ばね１６は、所定の間隔をおいて挟持片１０、１２の基端部１０Ｂ、１２Ｂを位置されるとともに、それが軸となって挟持片１０、１２が互いに揺動可能に構成されている。
【００１３】
挟持片１０、１２の先端部１０Ａ、１２Ａの内側には、一対の先端部材１８、２０が先端から突出した状態で設けられている。これら先端部材１８、２０は、図２に示すように先端側から見て断面Ｌ字状に形成され、一対の先端部１８、２０のＬ字それぞれの一の面１８Ｂ、２０Ｂは、光ケーブル用コネクタを挟持し、他の面１８Ａ、２０Ａが対向して配置されている。本実施例においては、Ｌ字の一の面１８Ｂ、２０Ｂの他の面１８Ａ、２０Ａと反対側の端部も屈曲して若干内側に突出している。このように他の面１８Ａ、２０Ａの反対側の端部が湾曲し若干内側に突出したとしても、本発明のＬ字に含まれる。また、これら先端部材１８、２０の内側の先端近傍それぞれには、ゴム板２２、２２が貼着されており、このゴム板２２、２２よりも基端側それぞれには、内側に突出する突起部２４、２４が形成されている。図５に示すように光ケーブル用コネクタ２６の基端面２６Ａに突起２４、２４の先端側２４Ａ、２４Ａを当接させた状態で、光ケーブル用コネクタ２６を挟持し、その状態において、先端部材１８，２０の先端から光ケーブル用コネクタ２６の先端２６Ｂまでの長さＬが、光ケーブル用コネクタ２６がアダプタに確実に装着させるのに十分な長さを有する位置に、突起部２４、２４は、形成されている。挟持片１０、１２の長手方向の略中央には、ねじ穴２８、２８が貫通している（図３参照）。
【００１４】
固定ねじ１４は、円柱状に形成された摘み部３０と、この摘み部３０の表面及び裏面それぞれ中心から上方及び下方それぞれに突出するねじ部３２、３４と、から構成されている。このねじ部３２、３４は、ねじ山が互いに逆方向に形成されており、挟持片１０、１２のねじ穴２８、２８それぞれに螺合される。固定ねじ１４の摘み部３０を摘みながら固定ねじ１４を一の方向に回転させることによって、挟持片１０、１２の間隔を近づけることができ、他の方向に回転させることによって、挟持片１０、１２の間隔を遠ざけることができる。挟持片１０、１２は、板ばね１６を軸として互いに揺動可能に構成されているので、固定ねじ１４を回転させることによって、挟持片１０、１２のねじ穴２８、２８部分が近づくと、先端部材１８、２０が近づき、挟持片１０、１２のねじ穴２８、２８部分が離れると、先端部材１８、２０が離れる。
【００１５】
次に、本実施例に係るコネクタ挟持具の使用方法について説明する。先ず、固定ねじ１４を回転させることによって先端部材１８、２０の間隔を光ケーブル用コネクタ２６の厚さよりも若干長い距離に調整する。次に、端子盤３６に複数設けられたアダプタ３８に装着されたコネクタ２６のうち、保守点検の対象となる光ケーブル用コネクタ２６に挟持片１０、１２の先端部１０Ａ、１２Ａを近づけるため、そのコネクタ２６に接続された光ケーブル４０を先端部材１８、２０の間に通す。本実施例に係るコネクタ挟持具において、先端部材１８、２０は、先端側から見て断面Ｌ字状に形成されているので、先端部材１８、２０の間隔を光ケーブル用コネクタ２６の厚さよりも若干長い距離に調整されたとしても、Ｌ字の短辺部１８Ａ、２０Ａの先端と対向する先端部材１８、２０の間隔が十分に空いているので、その間に光ケーブル用コネクタ２６に接続された光ケーブル４０を容易に入れることができ、先端部材１８、２０を容易に装着された光ケーブル用コネクタ２６に近づけることができる。すなわち、先端部分１８、２０が、先端側から見て断面コの字状に形成されている場合には、間隔が十分に空かず、その間に光ケーブルを容易に入れることができず、また、先端部分１８、２０の両側辺を屈曲させずに平坦とした場合、光ケーブル用コネクタ２６を曲がった状態で挟持してしまう場合があり確実に挟持することができない。
【００１６】
そして、図４に示すように保守点検の対象となっている光ケーブル用コネクタ２６が先端部材１８、２０の間に挿入されるように、挟持片１０、１２をその光ケーブル用コネクタ２６に差し込む。この際、図５に示すように光ケーブル用コネクタ２６の基端面２６Ａに突起２４、２４の先端側２４Ａ、２４Ａが当接するまで、挟持片１０、１２を差し込む。次に、固定ねじ１４を回転させて、先端部材１８、２０のゴム板２２、２２が光ケーブル用コネクタ２６を押圧するまで先端部材１８、２０の間隔を縮めることによって、光ケーブル用コネクタ２６を強固に挟持することができる。
【００１７】
次に、挟持された光ケーブル用コネクタ２６が保守対象のものであるかを確認するため、そのコネクタ２６を一旦アダプタ３８から離脱させ、３秒以内に再度そのアダプタ３８に装着する。管理者からその一度離着されたコネクタ２６が保守対象のものであるとの連絡を受けた後に、光ケーブル用コネクタ２６をアダプタ３８から離脱させる。一度離着させてから管理者からの連絡があるまで、数分要する場合があるが、本実施例に係るコネクタ挟持具においては、ゴム板２２、２２を押圧することによってコネクタ２６を強固に挟持することができるので、図６に示すように作業者は、コネクタ挟持具から手を離すことができる。
【００１８】
なお、本実施例に係るコネクタ挟持具は、上述のように、光ケーブル用コネクタ２６の基端面２６Ａに突起２４、２４の先端側２４Ａ、２４Ａを当接させた状態で、光ケーブル用コネクタ２６を挟持し、その状態において、先端部材１８，２０の先端から光ケーブル用コネクタ２６の先端２６Ｂまでの長さＬが、光ケーブル用コネクタ２６がアダプタに確実に装着させるのに十分な長さを有する位置に、突起部２４、２４は、形成されている。このため、コネクタ２６をアダプタ３８に差し込むことによって、確実にコネクタ２６をアダプタ３８に装着することができる。本実施例に係るコネクタ挟持具と異なり、突起部２４、２４がないと、先端部材１８，２０の先端から光ケーブル用コネクタ２６の先端２６Ｂまでの長さＬが、光ケーブル用コネクタ２６がアダプタ３８に確実に装着させるのに十分な長さを有しない状態で、光ケーブル用コネクタ２６を挟持してしまう場合があり、その場合、差し込んでも確実にコネクタ２６をアダプタ３８に装着することできない。
【００１９】
また、本実施例に係るコネクタ挟持具において、突起部２４、２４は、Ｌ字の一の面１８Ｂ、２０Ｂから突出して形成されているが、図７及び８に示すようにＬ字の他の面１８Ａ、２０Ａから突出させて形成しても良く、またＬ字の両面から突出させて形成しても良く、さらにＬ字の両面に跨って両面の角から突出させても良い。
【図面の簡単な説明】
【００２０】
【図１】本発明に係るコネクタ挟持具の実施例の正面図である。
【図２】本実施例に係るコネクタ挟持具の左側面図である。
【図３】図２のＡ−Ａ´線に沿った断面図である。
【図４】本実施例に係るコネクタ挟持具がコネクタを挟持した状態を示す正面図である。
【図５】図４の状態の一部拡大断面図である。
【図６】本実施例に係るコネクタ挟持具が端子盤のアダプタに接続されたコネクタを挟持している状態を示す斜視図である。
【図７】本実施例に係るコネクタ挟持具の他の態様を示す図２に対応する図である。
【図８】本実施例に係るコネクタ挟持具の他の態様を示す図５に対応する図である。
【符号の説明】
【００２１】
１０、１２    挟持片
１４          固定ねじ（固定手段）
【図１】
2008251386.tif 000003
【図２】
2008251386.tif 000004
【図３】
2008251386.tif 000005
【図４】
2008251386.tif 000006
【図５】
2008251386.tif 000007
【図６】
2008251386.tif 000008
【図７】
2008251386.tif 000009
【図８】
2008251386.tif 000010